(57)【特許請求の範囲】
【請求項１】
自船のタンク構造および配管構成から燃料切替えに要する時間と運行速度を定め、この燃料切替えに要する時間と運行速度から自船が燃料切替え海域までに航行する距離を算出し、この距離を燃料切替え海域の周囲に加えてアラーム海域として設定し、海域監視システムの電子海図上に定義すると共に、燃料切替えを行う前に機器の準備に要する時間を定め、この準備に要する時間と前記運航速度から、自船が設定したアラーム海域までに航行する距離を算出し、この距離をアラーム海域の周囲に加えてプレワーニング海域として設定し、海域監視システムの電子海図上に定義し、かつ、自船の位置情報をＧＰＳにより海域監視システムの電子海図上に入力し、この自船位置情報により電子海図上で、自船がプレワーニング海域に至ったときは燃料切替え準備のためのワーニングを発し、自船がアラーム海域に至ったときは燃料切替えのためのアラームを発すると共に、海域監視システムから燃料自動切替え制御システムに作動信号を発して自動的に燃料切替え作動を行わせるようにしたことを特徴とする船舶における燃料自動切替えシステム。
【請求項２】
自船の航路計画が予め電子海図上に設定されているときは、電子海図上に航路上の点としてアラーム海域を定義することを特徴とする請求項１記載の船舶における燃料自動切替えシステム。
【請求項３】
自船の航路計画が設定されていない場合は、電子海図上に海域としてアラーム海域を定義することを特徴とする請求項１記載の船舶における燃料自動切替えシステム。
【請求項４】
一般燃料用のストレージタンクと低硫黄燃料用のストレージタンクと、１個のセットリングタンクと１個のサービスタンクと、セットリングタンクとサービスタンクとに接続されたオーバーフロータンクと、２個の燃料清浄機とを備えたタンク構成において、一般燃料用および低硫黄燃料用ストレージタンクと、セットリングタンクと、オーバーフロータンクとに遠隔制御排出弁を備え、セットリングタンクと燃料清浄機とに遠隔制御供給弁を備え、これらの遠隔制御弁を海域監視システムから自動切替え作動信号を送達される燃料自動切替え制御システムからの指令で開閉制御すると共に、セットリングタンクとサービスタンクに空検知用レベル計を設け、オーバーフロータンクに満量検知用と空検知用のレベル計を設け、これらのタンク内の液面を検知しながら、作動信号により自動的に燃料切替えを行うようにしたことを特徴とする請求項１〜３記載の船舶における燃料自動切替えシステム。
【請求項５】
一般燃料用のストレージタンクと低硫黄燃料用のストレージタンクと、２個のセットリングタンクと２個のサービスタンクと、セットリングタンクとサービスタンクとに接続されたオーバーフロータンクと、２個の燃料清浄機とを備えたタンク構成において、一般燃料用および低硫黄燃料用ストレージタンクと、サービスタンクとに遠隔制御排出弁を備え、セットリングタンクに遠隔制御供給弁を備え、これらの遠隔制御弁を海域監視システムから自動切替え作動信号を送達される燃料自動切替え制御システムからの指令で開閉制御すると共に、セットリングタンクとサービスタンクに空検知用のレベル計を設け、これらのタンク内の液面を検知しながら、作動信号により自動的に燃料切替えを行うようにしたことを特徴とする請求項１〜３記載の船舶における燃料自動切替えシステム。
【発明の詳細な説明】
【技術分野】
【０００１】
本発明は、船舶における燃料の自動切替えシステムに係わるものであり、特に、航行海域上ＳＯｘ排出規制海域に入る際には低硫黄燃料油に切替え、同海域を出る際には一般燃料油に切替えるなど燃料を切替えて航行するのに、燃料切替えのための準備を行うプレワーニング海域と、燃料の切替えを行うアラーム海域とを設定して、それぞれのアラームを発すると共に、燃料の切替え作業を自動的に行う燃料自動切替えシステムに関する。
【背景技術】
【０００２】
近年、バルト海や北海などで船舶を運行するには、規制により低硫黄燃料を使用しなければならなくなった。また、米国やＥＵ域においてこのような燃料規制海域が増加する見込みである。そのため、このような燃料規制海域に立ち入る船舶では、一般燃料油と低硫黄燃料油の２系統で運行することを考慮しなければならない。
このため、燃料油の分離貯蔵、異種油のコンタミネーションを防止することなどを重要事項として、短時間で燃料油を切替えることができる燃料タンクの配置などが検討されている（例えば、非特許文献１参照）。
【０００３】
前記文献によれば、２セットリングタンク×２サービスタンク方式のタンク配置が、異種燃料がタンク内で混合することがないので、スラッジトラブルが発生するリスクは少なく、また、常にサービスタンク内には切替えるべき燃料が貯蔵されているので、循環ラインの切替えだけで短時間に燃料油を切替えることができる。
【０００４】
しかし、このように燃料油を切替えるにあたって、短時間で切替えるにしても、切替え時間は掛かるものであるし、既存船のほとんどで採用されている１セットリングタンク×1サービスタンク方式などの場合は切替えに長時間掛かるが、何れにしても、燃料規制海域に入る前に確実に切替えが完了することが必要であり、この切替えができれば問題はないのである。
したがって、切替えに長時間掛かる場合であっても、その切替え時間を考慮して切替えに対応すれば、燃料規制に対応するための追加の設備コストを抑えながら問題なく切替え可能になる。
【０００５】
【非特許文献１】雑誌「日本マリンエンジニアリング学会誌」第４１巻  第１号（３８〜４２ページ）平成１８年１月１日  社団法人  日本マリンエンジニアリング学会発行
【発明の開示】
【発明が解決しようとする課題】
【０００６】
燃料を切替えて航行する船舶において、燃料を切替える海域に近づいたら、プレワーニング海域とアラーム海域とを設定し、プレワーニング海域に至ったら燃料切替え海域に近づいたことを認識して切替え準備を始め、アラーム海域に至ったら燃料の切替えを自動的に開始し、燃料切替え海域に入る前に、あるいは、燃料切替え海域を出てから燃料の切替えを完了する燃料自動切替えシステムを得ることを目的とする。
【課題を解決するための手段】
【０００７】
船舶における燃料自動切替えシステムであって、自船のタンク構造および配管構成から燃料切替えに要する時間と運行速度を定め、この燃料切替えに要する時間と運行速度から自船が燃料切替え海域までに航行する距離を算出し、この距離を燃料切替え海域の周囲に加えてアラーム海域として設定し、海域監視システムの電子海図上に定義すると共に、燃料切替えを行う前に機器の準備に要する時間を定め、この準備に要する時間と前記運航速度から、自船が設定したアラーム海域までに航行する距離を算出し、この距離をアラーム海域の周囲に加えてプレワーニング海域として設定し、海域監視システムの電子海図上に定義し、かつ、自船の位置情報をＧＰＳにより海域監視システムの電子海図上に入力し、この自船位置情報により電子海図上で、自船がプレワーニング海域に至ったときは燃料切替え準備のためのワーニングを発し、自船がアラーム海域に至ったときは燃料切替えのためのアラームを発すると共に、海域監視システムから燃料自動切替え制御システムに作動信号を発して自動的に燃料切替え作動を行わせるようにした。
【０００８】
また、この船舶における燃料自動切替えシステムにおいて、自船の航路計画が予め電子海図上に設定されているときは、電子海図上に航路上の点としてアラーム海域を定義し、自船の航路計画が設定されていない場合は、電子海図上に海域としてアラーム海域を定義するようにした。
【０００９】
さらに、一般燃料用のストレージタンクと低硫黄燃料用のストレージタンクと、１個のセットリングタンクと１個のサービスタンクと、セットリングタンクとサービスタンクとに接続されたオーバーフロータンクと、２個の燃料清浄機とを備えたタンク構成において、一般燃料用および低硫黄燃料用ストレージタンクと、セットリングタンクと、オーバーフロータンクとに遠隔制御排出弁を備え、セットリングタンクと燃料清浄機とに遠隔制御供給弁を備え、これらの遠隔制御弁を海域監視システムから自動切替え作動信号を送達される燃料自動切替え制御システムからの指令で開閉制御すると共に、セットリングタンクとサービスタンクに空検知用レベル計を設け、オーバーフロータンクに満量検知用と空検知用のレベル計を設け、これらのタンク内の液面を検知しながら、作動信号により自動的に燃料切替えを行うようにしたこと。
【００１０】
および、一般燃料用のストレージタンクと低硫黄燃料用のストレージタンクと、２個のセットリングタンクと２個のサービスタンクと、セットリングタンクとサービスタンクとに接続されたオーバーフロータンクと、２個の燃料清浄機とを備えたタンク構成において、一般燃料用および低硫黄燃料用ストレージタンクと、サービスタンクとに遠隔制御排出弁を備え、セットリングタンクに遠隔制御供給弁を備え、これらの遠隔制御弁を海域監視システムから自動切替え作動信号を送達される燃料自動切替え制御システムからの指令で開閉制御すると共に、セットリングタンクとサービスタンクに空検知用のレベル計を設け、これらのタンク内の液面を検知しながら、作動信号により自動的に燃料切替えを行うようにしたことも特徴とする。
【発明の効果】
【００１１】
燃料を切替えて航行する船舶において、燃料切替え準備作業のためのプレワーニング海域および燃料自動切替えのためのアラーム海域を設定し、海域監視システムに入力するようにしたので、船舶がプレワーニング海域、アラーム海域に至ったらワーニングを発し、また、燃料自動切替え制御システムに燃料切替え作動信号を送信するようにしたので、船舶が燃料規制海域に入る前に、確実に低硫黄燃料に切替え、あるいは、燃料規制海域を出てから、確実に一般燃料に切替えることができるようになった。
【発明を実施するための最良の形態】
【００１２】
以下、図示した本発明の最良の形態について説明する。図１は本発明による設定海域と燃料切替え海域を示す概略図である。図２は本発明による燃料自動切替えシステムの構成図、図３は燃料自動切替えシステムの切替えフローを示すフローチャートである。図４は本発明の対象となるタンク構成の一例を示す図、図５は同じくタンク構成の他の例を示す図である。
【００１３】
図１において、Ｓは該海域を航行する全ての船舶に対して、ＳＯｘの排出を規制している海域、つまり、燃料切替え海域である。因みに、燃料油中の硫黄分を１，５％以下に要求している。
Ａは本発明で設定するアラーム海域であって、該アラーム海域Ａは、自船のタンク構造（配置および容量など）および配管構成（配管口径および長さなど）から燃料切替えに要する時間（計算上求められる時間に余裕を持たせるため＋αした時間とする）と、運行速度（自船の最大速度あるいは実行速度）を定める。そして、この燃料切替え時間と、運行速度で自船が航行する距離を算出し、この算出された距離を燃料規制海域Ｓの周囲に加え（燃料規制海域Ｓの境界ラインにこの距離を＋する）、アラーム海域として設定する。
【００１４】
このアラーム海域Ａは海域監視システムの電子海図上に定義するが、自船の航路計画（ナビライン）が予め電子海図上に設定されているときは、電子海図上に航路上の点として定義する。また、自船の航路計画が設定されていない場合は、電子海図上に海域として定義する。
【００１５】
Ｗは本発明で設定するプレワーニング海域であって、例えば、燃料切替えにあたって使用される清浄機を調整するなど燃料切替え開始前に機関室の関連機器をスタンバイ状態にしておく必要がある。つまり、準備に要する時間を定める（例えば、アラーム海域Ａに入る３０分前）。そして、この準備に要する時間で、自船が前記運行速度で航行する距離を算出し、この算出した距離をアラーム海域Ａの周囲に加え（アラーム海域Ａの境界ラインにこの距離を＋する）、プレワーニング海域として海域監視システムの電子海図上に定義する。
【００１６】
図２は燃料自動切替えシステムの全体構成を示しており、電子海図表示装置に内蔵されている海域監視システム１には、ＧＰＳ２から自船の位置が常時入力される。この自船位置情報は操舵室の警報パネル３、機関室の警報パネル４および燃料自動切替え制御システム５に信号として伝えられる。
【００１７】
図３は燃料自動切替えシステムの切替えフローを示すフローチャートである。先ず、自船の運航速度、燃料切替えに要する時間、切替え機器の準備に要する時間など必要項目を海域監視システム１に入力することにより、電子海図上にアラーム海域Ａおよびプレワーニング海域Ｗが設定され、スタートとする。ＧＰＳ２から常時自船の位置が海域監視システム１に入力さているので、自船がプレワーニング海域Ｗに入ったかチェックし、プレワーニング海域Ｗに入ったら、操舵室の警報パネル３および機関室の警報パネル４に準備の確認を促すためプレワーニングする。
【００１８】
そして、予め自船の航路計画が設定されているかどうかを確認し、航路計画が設定されていないときはアラーム海域による監視を開始し、航路計画が設定されている場合は航路計画によるアラーム監視を開始する。アラーム海域Ａに入ったら、操舵室の警報パネル３および機関室の警報パネル４に燃料切替えのアラームを発する。そして、アラーム海域に入りアラームが発せられたことを確認し、燃料自動切替え制御システム５に作動信号を発して、燃料の自動切替えを終了する。
【００１９】
図４は１セットリングタンク×１サービスタンク方式の構成を示している。一般燃料用のストレージタンク１１および低硫黄燃料用ストレージタンク１２と、一個のセットリングタンク１３および一個のサービスタンク１４と、ＮＯ１清浄機１５およびＮＯ２清浄機１６と、燃料油移送ポンプ１７を備えており、太線で示した移送ラインにより一般燃料をメインエンジンに供給している状態を示している。なお、セットリングタンク１３とサービスタンク１４に連結してオーバーフロータンク１８が設けられている。
【００２０】
セットリングタンク１３、サービスタンク１４のそれぞれの底部には、例えば、マグネットフロートとスイッチによる空検知用レベル計ＭＦ１、ＭＦ２が設けられている。また、オーバーフロータンク１８には満量検知用と空検知用のレベル計ＭＦ３、ＭＦ４が設けられている。
【００２１】
一般燃料用ストレージタンク１１および低硫黄燃料用ストレージタンク１２には遠隔制御排出弁Ｖ１、Ｖ２および遠隔制御供給弁Ｖ６、Ｖ７が設けられている。また、セットリングタンク１３には遠隔制御供給弁Ｖ３と遠隔制御排出弁Ｖ４が、オーバーフロータンク１８には遠隔制御排出弁Ｖ５が設けられている。さらに、ＮＯ１清浄機１５とＮＯ２清浄機１６の入り側には遠隔制御供給弁Ｖ８、Ｖ９が設けられている。
【００２２】
そして、これらの遠隔制御弁Ｖ１からＶ９は海域監視システム１から自動燃料切替え作動信号を送達される燃料自動切替え制御システム５のコントロールパネル１９からの指令でＯＮ、ＯＦＦ制御される。なお、図中の破線はコントロールパネル１９から各遠隔制御弁Ｖ１からＶ９への指令ラインを示している。また、遠隔制御弁としては電磁弁、空気作動弁、油圧作動弁などが使用される。
【００２３】
この構成において、太線で示したラインにより一般燃料を供給している状態（通常域の航行）から、低硫黄燃料の供給に切替える手順について説明する。
今、ＮＯ１清浄機１５は一般燃料の供給に使用されているので、ＮＯ２清浄機１６を低硫黄燃料用としてスタンバイさせておく、燃料自動切替え制御システム５が低硫黄燃料への切替え信号を受信したら、燃料油移送ポンプ１７およびＮＯ１清浄機１５を停止し、一般燃料用ストレージタンク１１の遠隔制御排出弁Ｖ１、セットリングタンク１３の遠隔制御供給弁Ｖ３およびＮＯ１清浄機１５の遠隔制御供給弁Ｖ８を閉止して一般燃料の供給を停止する。
【００２４】
次いで、オーバーフロータンク１８の遠隔制御排出弁Ｖ５と一般燃料用ストレージタンク１１の遠隔制御供給弁Ｖ６を開き、オーバーフロータンク１８から一般燃料用ストレージタンク１１へ戻すラインを開通させる。この状態で、オーバーフロータンク１１の底部に設けたレベル計ＭＦ４により液面を検知し、液面がレベル計ＭＦ４より高くなったら燃料油移送ポンプ１７を駆動してオーバーフロータンク１８内の一般燃料を一般燃料用ストレージタンク１１に戻し入れる。また、液面がレベル計ＭＦ４より下がったときには燃料油移送ポンプ１７を停止する。
【００２５】
また、同時にオーバーフロータンク１８の上部に設けたレベル計ＭＦ３により液面を検知し、液面がレベル計ＭＦ３より低くなったら、セットリングタンク１３の遠隔制御排出弁Ｖ４を開き、セットリングタンク１３内の一般燃料をオーバーフロータンク１８に移送する。
また、セットリングタンク１３の底部に設けたレベル計ＭＦ１によりセットリングタンク１３内の液面を検知し、液面がレベル計ＭＦ１より低くなったら、セットリングタンク１３の空の状態が確認されるので、セットリングタンク１３の遠隔制御排出弁Ｖ４、オーバーフロータンク１８の遠隔制御排出弁Ｖ５、一般燃料用ストレージタンク１１の遠隔制御供給弁Ｖ６を閉止し、オーバーフロータンク１８から一般燃料用ストレージタンク１１へ戻すラインを閉鎖する。
【００２６】
そして、低硫黄燃料用ストレージタンク１２の遠隔制御排出弁Ｖ２、セットリングタンク１３の遠隔制御供給弁Ｖ３、ＮＯ２清浄機１６の遠隔制御供給弁Ｖ９を開き、低硫黄燃料を供給するラインを開通する。そして、燃料油移送ポンプ１７を駆動して低硫黄燃料をセットリングタンク１３に供給する。また、サービスタンク１４の底部に設けたレベル計ＭＦ２によりサービスタンク１４内の液面を検知し、液面がレベル計ＭＦ２より下がったらサービスタンク１４内の空の状態が（一般燃料を遣い切ったことが）確認されるので、ＮＯ２清浄機１６を始動させ、サービスタンク１４に低硫黄燃料を供給する。最後に低硫黄燃料への切替え終了信号を出して自動切替えを終了する。
【００２７】
なお、上記の説明においては、一般燃料から低硫黄燃料に切替えるにあたり、サービスタンク１４内の一般燃料を使い切るものとして説明したが、図中サービスタンク１４の底部に設けた開閉弁Ｖ１０を操作して、サービスタンク１４内の一般燃料を一部オーバーフロータンク１８に落とし、一般燃料用ストレージタンク１１に戻すこともでき、この場合は、その分だけ燃料切替え時間を短縮することができる。
【００２８】
図５は２セットリングタンク×２サービスタンク方式の構成を示している。一般燃料用のストレージタンク１１および低硫黄燃料用タンク１２と、一般燃料用のセットリングタンク２１および低硫黄燃料用セットリングタンク２２と、一般燃料用サービスタンク２３および低硫黄燃料用サービスタンク２４と、ＮＯ１清浄機１５およびＮＯ２清浄機１６と、燃料油移送ポンプ１７を備えており、太線で示した移送ラインにより一般燃料を供給している状態を示している。なお、セットリングタンク２１、２２に連結してオーバーフロータンク１８が設けられている。
【００２９】
セットリングタンク２１、２２とサービスタンク２３、２４のそれぞれの底部には、例えば、マグネットフロートとスイッチによる空検知用のレベル計ＭＦ５、ＭＦ６、ＭＦ７、ＭＦ８が設けられている。また、ストレージタンク１１、１２には遠隔制御排出弁Ｖ１、Ｖ２が設けられ、セットリングタンク２１、２２には遠隔制御供給弁Ｖ１１、Ｖ１２が設けられ、サービスタンク２３、２４には遠隔制御排出弁Ｖ１３、Ｖ１４が設けられている。これらの遠隔制御弁Ｖ１、Ｖ２、Ｖ１１からＶ１４は海域監視システム１から自動切替え信号が送達される燃料自動切替え制御システム５のコントロールパネル１９からの指令でＯＮ、ＯＦＦ制御される。
【００３０】
この構成において、太線で示す移送ラインにより一般燃料を供給している状態から、低硫黄燃料への自動切替え手順を説明する。いま、ＮＯ１清浄機１５は一般燃料用として使用されており、ＮＯ２清浄機１６を低硫黄燃料用にスタンバイさせておく、低硫黄燃料用への切替え信号を受信したら、ＮＯ１清浄機１５と燃料油移送ポンプ１７が停止され、一般燃料用のストレージタンク１１の遠隔制御排出弁Ｖ１と一般燃料用のセットリングタンク２１への遠隔制御供給弁Ｖ１１が閉止され、一般燃料用のセットリングタンク２１、同サービスタンク２３への一般燃料移送ラインを停止する。
【００３１】
一般燃料の供給が停止されたあと、低硫黄燃料用ストレージタンク１２の遠隔制御排出弁Ｖ２および低硫黄燃料用セットリングタンク２２の遠隔制御供給弁Ｖ１２が開かれ、低硫黄燃料のセットリングタンク２２への燃料移送ラインが開通される。そして、燃料油移送ポンプ１７が駆動され、低硫黄燃料用セットリングタンク２２への低硫黄燃料の供給が開始される。
【００３２】
次いで、低硫黄燃料用セットリングタンク２２内の液面が、レベル計ＭＦ６により検知され、液面がレベル計ＭＦ６より高くなると、ＮＯ２清浄機１６が始動され、低硫黄燃料用セットリングタンク２２内の低硫黄燃料が低硫黄燃料用サービスタンク２４に供給される。
また、低硫黄燃料用サービスタンク２４内の液面がレベル計ＭＦ８により検知され、液面がレベル計ＭＦ８より高くなると、低硫黄燃料用タンク２４の遠隔制御排出弁Ｖ１４が開き、一般燃料用サービスタンク２３の遠隔制御排出弁Ｖ１３が閉止し、メインエンジンへの低硫黄燃料の供給が開始される。
【００３３】
このメインエンジンへの低硫黄燃料の供給が開始されたことが、燃料自動切替え完了の信号として発せられる。なお、低硫黄燃料用サービスタンク２４の遠隔制御排出弁Ｖ１４が開かれ、低硫黄燃料が供給開始されるまでの間は一般燃料用サービスタンク２３内に残存する一般燃料が供給されている。
【００３４】
この図５に示す２セットリングタンク×２サービスタンク方式のタンク構成の場合は、燃料の切替えにあたって、切替える側のセットリングタンク、サービスタンク（上記説明において、低硫黄燃料用２１、２３）は共に準備された状態にあるので、いきなり、切替え燃料のタンクへの供給ができ、タンク内に所定量が溜まることにより切替えられ、短時間での燃料切替えが可能である。
【００３５】
さて、上記の説明においては、燃料規制海域に入る前に一般燃料から低硫黄燃料に切替える例について説明したが、反対に燃料規制海域から出るときには低硫黄燃料から一般燃料に切替えて航行することになる。この場合も同様に燃料規制海域から出る前に、切替えに要する時間と運行速度とから切替えに要する距離を算出してアラーム海域Ａを設定し、電子海図上に定義し、さらに、切替えのための準備に要する時間と運行速度とから準備に要する距離を算出してプレワーニング海域Ｗを設定し、電子海図上に定義して燃料の自動切替えを設定する。
【００３６】
なお、燃料規制海域から出る場合は、完全に燃料規制海域を出てから一般燃料に切替えるようにしなければならないが、いつまでに燃料を切替えなければならないという制約はなく、燃料切替え時間を考慮しなくてよいので、例えば、燃料切替え時間を０時間と設定することができる。つまり、アラーム海域を燃料規制海域の規制ライン上に設定し、燃料規制海域を越えてから、燃料切替えの作動をするように設定することができる。
【図面の簡単な説明】
【００３７】
【図１】本発明による設定海域と燃料規制海域を示す概略図。
【図２】本発明による燃料自動切替えシステムの構成図。
【図３】燃料自動切替えシステムの切替えフローを示すフローチャート。
【図４】本発明の対象となるタンク構成の一例を示す図。
【図５】同じくタンク構成の他の例を示す図。
【符号の説明】
【００３８】
１  海域監視システム                        ２  ＧＰＳ
３  操舵室警報パネル                        ４  機関室警報パネル
５  燃料自動切替え制御システム  
１１  一般燃料用ストレージタンク            １２  低硫黄燃料用ストレージタンク
１３  セットリングタンク                    １４  サービスタンク
１５  ＮＯ１清浄機                          １６  ＮＯ２清浄機
１７  燃料油移送ポンプ                      １８  オーバーフロータンク
１９  コントロールパネル
２１  一般燃料用セットリングタンク          ２２  低硫黄燃料用セットリングタンク
２３  一般燃料用サービスタンク              ２４  低硫黄燃料用サービスタンク
Ｓ  燃料規制海域                            Ａ  アラーム海域
Ｗ  プレワーニング海域                      Ｖ  弁
ＭＦ  レベル計
【図１】
0004659683.tif 000002
【図２】
0004659683.tif 000003
【図３】
0004659683.tif 000004
【図４】
0004659683.tif 000005
【図５】
0004659683.tif 000006